(57)【要約】【課題】遊技者の関心を惹きつけることができる遊技機、プログラムおよび情報記憶媒体を提供する。【解決手段】通常状態では、ビッグボーナス（ＢＢ）とビッグボーナス以外の役とが重複当選するように内部抽選を行っており、ビッグボーナスの当選を契機として、ビッグボーナス当選時の抽選フラグの設定状態に応じて、ビッグボーナス状態（ＢＢ状態）における小役の配当を定めるための配当テーブル参照番号を設定する。各遊技状態での遊技では、小役の入賞時に配当テーブル参照番号に基づき設定される小役の配当に従ってメダルの払出数を決定し、決定された払出数に相当するメダルを払い出すように制御する。【選択図】図７
2009225909.tif 000002
【特許請求の範囲】
【請求項１】
外周面に複数種類の図柄が配列されている複数のリールと、
特定役と小役とを含む複数種類の役の当否を決定する内部抽選を行う内部抽選手段と、
前記内部抽選で当選した役の抽選フラグを当選状態に設定する抽選フラグ設定手段と、
前記複数のリールを回転させ、抽選フラグの設定状態に応じて前記複数のリールを停止させる制御を行うリール制御手段と、
前記複数のリールの停止態様に基づいて役の入賞の有無を判定し、入賞判定ライン上に役毎に定められた入賞形態を示す図柄組合せが表示されたことに基づいて役が入賞したと判定する入賞判定手段と、
前記小役の入賞に伴い、入賞した前記小役の配当に基づいて遊技媒体の払出数を決定して、決定された払出数の遊技媒体を払出装置に払い出させる制御を行う払出制御手段と、
前記小役の配当を設定する配当設定手段とを備え、
前記内部抽選手段が、
前記複数種類の役のうち２種類以上の役の抽選フラグがともに当選状態に設定される場合があるように前記内部抽選を行っており、
前記配当設定手段が、
前記特定役の当選時あるいは前記特定役の入賞時における抽選フラグの設定状態に応じて前記小役の配当を設定することを特徴とする遊技機。
【請求項２】
請求項１において、
通常状態と通常状態よりも前記小役の入賞確率を高めた特別状態とを含む複数種類の遊技状態の間で遊技状態を移行させる遊技状態移行制御手段と、
前記内部抽選で当選した役を報知する報知演出を所定条件下で演出装置に実行させる制御を行う演出制御手段とをさらに備え、
前記抽選フラグ設定手段が、
前記内部抽選で前記特定役に当選すると、前記特定役の抽選フラグの当選状態を、前記特定役が入賞するまで持ち越す処理を行い、
前記遊技状態移行制御手段が、
前記特定役の入賞を契機として遊技状態を前記特別状態へ移行させる制御を行い、
前記演出制御手段が、
前記特定役の抽選フラグが当選状態に設定されている遊技において前記報知演出を演出装置に実行させる制御を行うことを特徴とする遊技機。
【請求項３】
請求項２において、
前記配当設定手段が、
前記特定役の当選時に決定した前記小役の配当を前記特定役の入賞時に所定条件下で変更することを特徴とする遊技機。
【請求項４】
外周面に複数種類の図柄が配列されている複数のリールを備えた遊技機のためのプログラムであって、
特定役と小役とを含む複数種類の役の当否を決定する内部抽選を行う内部抽選手段と、
前記内部抽選で当選した役の抽選フラグを当選状態に設定する抽選フラグ設定手段と、
前記複数のリールを回転させ、抽選フラグの設定状態に応じて前記複数のリールを停止させる制御を行うリール制御手段と、
前記複数のリールの停止態様に基づいて役の入賞の有無を判定し、入賞判定ライン上に役毎に定められた入賞形態を示す図柄組合せが表示されたことに基づいて役が入賞したと判定する入賞判定手段と、
前記小役の入賞に伴い、入賞した前記小役の配当に基づいて遊技媒体の払出数を決定して、決定された払出数の遊技媒体を払出装置に払い出させる制御を行う払出制御手段と、
前記小役の配当を設定する配当設定手段として遊技機のコンピュータを機能させ、
前記内部抽選手段が、
前記複数種類の役のうち２種類以上の役の抽選フラグがともに当選状態に設定される場合があるように前記内部抽選を行っており、
前記配当設定手段が、
前記特定役の当選時あるいは前記特定役の入賞時における抽選フラグの設定状態に応じて前記小役の配当を設定することを特徴とするプログラム。
【請求項５】
コンピュータにより読取可能な情報記憶媒体であって、請求項４に記載のプログラムを記憶することを特徴とする情報記憶媒体。
【発明の詳細な説明】
【技術分野】
【０００１】
本発明は、遊技機、プログラムおよび情報記憶媒体に関する。
【背景技術】
【０００２】
従来から外周面に図柄が配列された複数のリールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の操作に基づいて内部抽選を行って、内部抽選の結果に基づいてリールを停止させることにより、遊技結果をリールに配列された図柄の組合せを用いて表示する機能や、遊技結果に応じてメダル等の払い出しなどを行う機能を備えている。
【０００３】
ところで、この種の遊技機では、近年、遊技媒体の払出契機となる小役の入賞確率を通常状態よりも高めた特別状態の終了条件を遊技媒体の払出数の合計に基づいて判断する手法が主流となっている（特許文献１〜３参照）。
【特許文献１】特開２００７−２８２９５１号公報
【特許文献２】特開２００７−２６００１８号公報
【特許文献３】特開２００７−２５９９２２号公報
【発明の開示】
【発明が解決しようとする課題】
【０００４】
しかしながら、近年主流となっている制御手法を採用した遊技機では、遊技媒体の払出数の合計に基づいて特別状態の終了条件が判断される関係で、遊技者の遊技媒体の獲得状況を大きく変動させることができず、遊技者の遊技意欲の減退が懸念されており、遊技者の関心を惹きつける斬新な遊技仕様を実現する技術が望まれている。
【０００５】
本発明は上記事情に鑑みてなされたものであり、遊技者の関心を惹きつけることができる遊技機、プログラムおよび情報記憶媒体を提供することにある。
【課題を解決するための手段】
【０００６】
（１）本発明は、外周面に複数種類の図柄が配列されている複数のリールと、特定役と小役とを含む複数種類の役の当否を決定する内部抽選を行う内部抽選手段と、前記内部抽選で当選した役の抽選フラグを当選状態に設定する抽選フラグ設定手段と、前記複数のリールを回転させ、抽選フラグの設定状態に応じて前記複数のリールを停止させる制御を行うリール制御手段と、前記複数のリールの停止態様に基づいて役の入賞の有無を判定し、入賞判定ライン上に役毎に定められた入賞形態を示す図柄組合せが表示されたことに基づいて役が入賞したと判定する入賞判定手段と、前記小役の入賞に伴い、入賞した前記小役の配当に基づいて遊技媒体の払出数を決定して、決定された払出数の遊技媒体を払出装置に払い出させる制御を行う払出制御手段と、前記小役の配当を設定する配当設定手段とを備え、前記内部抽選手段が、前記複数種類の役のうち２種類以上の役の抽選フラグがともに当選状態に設定される場合があるように前記内部抽選を行っており、前記配当設定手段が、前記特定役の当選時あるいは前記特定役の入賞時における抽選フラグの設定状態に応じて前記小役の配当を設定する遊技機に関するものである。
【０００７】
本発明によれば、小役の配当を変更することで、小役の入賞に伴う遊技媒体の払出数を変動させることによって、遊技者の遊技媒体の獲得状況に起伏を与えるという斬新な遊技仕様を実現することができ、遊技者の関心を惹きつけることができる。
【０００８】
（２）本発明の遊技機では、通常状態と通常状態よりも前記小役の入賞確率を高めた特別状態とを含む複数種類の遊技状態の間で遊技状態を移行させる遊技状態移行制御手段と、前記内部抽選で当選した役を報知する報知演出を所定条件下で演出装置に実行させる制御を行う演出制御手段とをさらに備え、前記抽選フラグ設定手段が、前記内部抽選で前記特定役に当選すると、前記特定役の抽選フラグの当選状態を、前記特定役が入賞するまで持ち越す処理を行い、前記遊技状態移行制御手段が、前記特定役の入賞を契機として遊技状態を前記特別状態へ移行させる制御を行い、前記演出制御手段が、前記特定役の抽選フラグが当選状態に設定されている遊技において前記報知演出を演出装置に実行させる制御を行うようにしてもよい。
【０００９】
このようにすれば、例えば、特定役の当選時における抽選フラグの設定状態に応じて小役の配当を設定する場合には、遊技者が特定役の当選時に小役の配当に関する設定内容を即座に把握することができるようになり、また例えば、特定役の入賞時における抽選フラグの設定状態に応じて小役の配当を設定する場合には、遊技者の意思を反映して小役の配当を決定することができる機会を与えることによって、遊技者の関心を惹きつけることができるようになる。
【００１０】
（３）本発明の遊技機では、前記配当設定手段が、前記特定役の当選時に決定した前記小役の配当を前記特定役の入賞時に所定条件下で変更するようにしてもよい。
【００１１】
このようにすれば、内部抽選の結果に影響されて決定された小役の配当を、遊技者の意思に基づき変更できる余地を与えることによって遊技性を高め、遊技者の関心を強く惹きつけることができるようになる。
【００１２】
（４）本発明は、外周面に複数種類の図柄が配列されている複数のリールを備えた遊技機のためのプログラムであって、特定役と小役とを含む複数種類の役の当否を決定する内部抽選を行う内部抽選手段と、前記内部抽選で当選した役の抽選フラグを当選状態に設定する抽選フラグ設定手段と、前記複数のリールを回転させ、抽選フラグの設定状態に応じて前記複数のリールを停止させる制御を行うリール制御手段と、前記複数のリールの停止態様に基づいて役の入賞の有無を判定し、入賞判定ライン上に役毎に定められた入賞形態を示す図柄組合せが表示されたことに基づいて役が入賞したと判定する入賞判定手段と、前記小役の入賞に伴い、入賞した前記小役の配当に基づいて遊技媒体の払出数を決定して、決定された払出数の遊技媒体を払出装置に払い出させる制御を行う払出制御手段と、前記小役の配当を設定する配当設定手段として遊技機のコンピュータを機能させ、前記内部抽選手段が、前記複数種類の役のうち２種類以上の役の抽選フラグがともに当選状態に設定される場合があるように前記内部抽選を行っており、前記配当設定手段が、前記特定役の当選時あるいは前記特定役の入賞時における抽選フラグの設定状態に応じて前記小役の配当を設定するプログラムに関するものである。
【００１３】
また本発明は、コンピュータにより読取可能な情報記憶媒体であって、上記各手段としてコンピュータを機能させるプログラムを記憶する情報記憶媒体に関するものである。
【００１４】
なお本発明のプログラムおよび情報記憶媒体では、上記（２）〜（３）に示す各態様を適宜採用することができ、（２）〜（３）に示した手段としてコンピュータを機能させるようにしてもよい。
【発明を実施するための最良の形態】
【００１５】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１６】
１．構成
図１は、本発明の実施の形態に係る遊技機の外観構成を示す斜視図である。
【００１７】
本実施形態の遊技機は、いわゆるスロットマシンあるいは回胴式遊技機と呼ばれるもので、メダルを遊技媒体として用いた遊技を行う種類の遊技機である。
【００１８】
本実施形態の遊技機は、収納箱ＢＸ、前面上扉ＵＤ、および前面下扉ＤＤからなる箱形の筐体内に第１リールＲ１〜第３リールＲ３（複数のリール）からなるリールユニットが収められている。また筐体内のリールユニットの下部には、メダルの払出装置としてのホッパーユニット（図示省略）が収められている。また本実施形態の遊技機の筐体内には、ＣＰＵ、ＲＯＭ（情報記憶媒体の一例）、ＲＡＭ等を搭載し、遊技機の動作を制御する制御基板も収められている。
【００１９】
図１に示す第１リールＲ１〜第３リールＲ３は、それぞれ外周面が一定の間隔で２１の領域（各領域を「コマ」と称する）に区画されており、各コマに複数種類の図柄のいずれかが配列されている。また第１リールＲ１〜第３リールＲ３は、ステップモータ（リール駆動手段：図示省略）に軸支されており、それぞれステップモータの軸周りに回転駆動され、ステップモータの駆動パルスのパルス数やパルス幅などを制御することによって、コマ単位（所定の回転角度単位、所定の回転量単位）で停止可能に設けられている。すなわち本実施形態の遊技機では、ステップモータが制御基板から供給された駆動パルスに応じて第１リールＲ１〜第３リールＲ３を回転駆動し、制御基板から駆動パルスの供給が断たれると、ステップモータの回転が停止することに伴って第１リールＲ１〜第３リールＲ３が停止する。
【００２０】
前面上扉ＵＤと前面下扉ＤＤとは個別に開閉可能に設けられており、前面上扉ＵＤには第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）を遊技機の正面から表示窓ＤＷを通じて観察できるようになっている。
【００２１】
そして遊技結果は表示窓ＤＷ内の５本の入賞判定ラインＬ１〜Ｌ５のうち有効な入賞判定ライン上に停止表示された図柄組合せによって判断され、入賞判定ライン上の図柄組合せが予め定められた役に対応した図柄組合せである場合には、その役が入賞したものとしてホッパーユニットからメダルの払い出し等が行われる。なお、本実施形態の遊技機では、１回の遊技に関して必要となるメダルの数、いわゆる規定投入数が３枚に設定され、規定投入数のメダルが投入されたことに基づいて５本の入賞判定ラインＬ１〜Ｌ５の全てが有効化される。
【００２２】
また前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス遊技の残り回数等の各種遊技情報が表示される。
【００２３】
また前面上扉ＵＤには、遊技演出を行うための液晶ディスプレイＬＣＤが設けられている。この液晶ディスプレイＬＣＤには、遊技を補助したり、遊技を盛り上げたりするための各種の映像（または画像）が表示される。また本実施形態の遊技機では、前面上扉ＵＤや前面下扉ＤＤに対して、遊技演出を行うためのスピーカ（図示省略）が複数設けられている。このスピーカからは、遊技を補助したり、遊技を盛り上げたりするための各種の音声が出力される。
【００２４】
また前面下扉ＤＤには、各種の操作手段が設けられている。操作手段としては、クレジット（貯留）されたメダルを投入する操作を行うためのベットボタン（投入操作手段）Ｂ０、第１リールＲ１〜第３リールＲ３を回転させて遊技を開始する契機となる操作を行うためのスタートレバー（回転開始操作手段）ＳＬ、ステップモータにより回転駆動されている第１リールＲ１〜第３リールＲ３のそれぞれを停止させる契機となる操作を行うためのストップボタン（停止操作手段）Ｂ１〜Ｂ３などが設けられている。
【００２５】
本実施形態の遊技機では、遊技者がメダルをメダル投入口ＭＩに投入するか、ベットボタンＢ０を押下する操作を行うことで、第１リールＲ１〜第３リールＲ３の回転制御を開始することが可能な準備状態にセットされる。そして、遊技者がスタートレバーＳＬを押下すると、制御基板において第１リールＲ１〜第３リールＲ３をステップモータの駆動により回転開始させるとともに、乱数値を用いた内部抽選が行われ、第１リールＲ１〜第３リールＲ３の回転速度が所定の速度まで上昇したことを条件に、ストップボタンＢ１〜Ｂ３の押下操作が許可（有効化）される。
【００２６】
その後、遊技者が任意のタイミングでストップボタンＢ１〜Ｂ３を押下していくと、ストップボタンＢ１〜Ｂ３のそれぞれに内蔵されているストップスイッチ（停止信号出力手段：例えば、フォトセンサ、導通センサ、圧力センサなど）がオン動作を行い、制御基板に入力されるリール停止信号をオフ状態からオン状態へ変化させる。
【００２７】
また遊技者が任意のタイミングで押下状態にあるストップボタンＢ１〜Ｂ３を解放すると、各ボタンのストップスイッチがオフ動作を行い、制御基板に入力されるリール停止信号をオン状態からオフ状態に変化させる。
【００２８】
そして制御基板は、ストップボタンＢ１〜Ｂ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２９】
また前面下扉ＤＤの下部には、メダル払い出し口ＭＯとメダル受け皿ＭＰとが設けられており、遊技の結果に応じた枚数のメダルがメダル払い出し口ＭＯからメダル受け皿ＭＰへ払い出されるようになっている。
【００３０】
図２は、本実施形態の遊技機の機能ブロック図である。
【００３１】
本実施形態の遊技機は、遊技制御手段１００（制御基板）によって制御される。遊技制御手段１００は、メダル投入スイッチ２１０、ベットスイッチ２２０、スタートスイッチ２３０、ストップスイッチ２４０等の入力手段からの入力信号を受けて、遊技を実行するための各種の演算を行い、演算結果に基づいてリールユニット３１０、ホッパーユニット３２０、表示装置３３０、音響装置３４０等の出力手段の動作制御を行う。遊技制御手段１００の機能は各種のプロセッサ（ＣＰＵ、ＤＳＰなど）、ＡＳＩＣ（ゲートアレイなど）、ＲＯＭ（情報記憶媒体の一例）、あるいはＲＡＭなどのハードウェアや、ＲＯＭなどに予め記憶されている所与のプログラムからなるソフトウェアにより実現される。
【００３２】
そして遊技制御手段１００は、投入受付手段１０５、乱数発生手段１１０、内部抽選手段１２０、抽選フラグ設定手段１２５、リール制御手段１３０、入賞判定手段１４０、払出制御手段１５０、配当設定手段１５５、リプレイ処理手段１６０、遊技状態移行制御手段１７０、演出制御手段１８０、記憶手段１９０を含む。
【００３３】
投入受付手段１０５は、遊技毎にメダルの投入を受け付けて、規定投入数に相当する３枚のメダルが投入されたことに基づいて、スタートレバー（回転開始操作手段）ＳＬに対する第１リールＲ１〜第３リールＲ３の回転開始操作を許可する処理を行う。
【００３４】
本実施形態の遊技機では、メダル投入口ＭＩにメダルが投入されると、メダル投入スイッチ２１０が作動することに伴って、投入受付手段１０５が、規定投入数を限度として、投入されたメダルを投入状態に設定する。また本実施形態の遊技機では、遊技機にメダルがクレジットされた状態で、ベットボタンＢ０が押下されると、ベットスイッチ２２０が作動することに伴って、投入受付手段１０５が、規定投入数を限度して、クレジットされたメダルを投入状態に設定する。
【００３５】
乱数発生手段１１０は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００３６】
内部抽選手段１２０は、遊技者がスタートレバー（回転開始操作手段）ＳＬの押下操作により作動するスタートスイッチ２３０からのスタート信号に基づいて、役の当否を決定する内部抽選を行う手段であって、抽選テーブル選択処理、乱数判定処理などを行う。
【００３７】
抽選テーブル選択処理では、記憶手段１９０の抽選テーブル記憶手段１９１に格納されている複数の抽選テーブルのうち、いずれの抽選テーブルを用いて内部抽選を行うかを決定する。本実施形態の遊技機では、通常状態、ビッグボーナス成立状態（ＢＢ成立状態）、およびビッグボーナス状態（ＢＢ状態：特典遊技を行わせる遊技区間）という複数種類の遊技状態が設定可能とされており、抽選テーブル記憶手段１９１には、図３に示すように、各遊技状態における内部抽選のための抽選テーブルＡ〜抽選テーブルＣが記憶されている。例えば、遊技状態が通常状態である場合には、抽選テーブルＡが選択され、遊技状態がＢＢ成立状態である場合には、抽選テーブルＢが選択され、遊技状態がＢＢ状態である場合には、抽選テーブルＣが選択される。
【００３８】
そして抽選テーブルＡ〜抽選テーブルＣでは、複数の乱数値（例えば、０〜６５５３５の６５５３６個の乱数値）のそれぞれに対してリプレイ（入賞に伴い次回の遊技に際してメダルが自動投入される役）、小役（入賞に伴いメダルが払い出される役：ベル、スイカ、チェリー）、およびビッグボーナス（ＢＢ：ボーナスの一例）などの各種の役もしくはハズレのいずれかが対応づけられている。
【００３９】
乱数判定処理では、スタートスイッチ２３０の作動に伴って入力されるスタート信号に基づいて遊技毎に乱数発生手段１１０から乱数値（抽選用乱数）を取得し、取得した乱数値について記憶手段１９０の抽選テーブル記憶手段１９１に記憶されている抽選テーブルを参照して役に当選したか否かを判定する。
【００４０】
抽選フラグ設定手段１２５は、乱数判定処理の結果に基づいて、当選したと判定された役の抽選フラグを非当選状態（第１のフラグ状態、オフ状態）から当選状態（第２のフラグ状態、オン状態）に設定する。本実施形態の遊技機では、２種類以上の役が重複して当選した場合には、重複して当選した２種類以上の役のそれぞれに対応する抽選フラグが当選状態に設定される。抽選フラグの設定情報は、記憶手段１９０の抽選フラグ記憶手段１９２に格納される。また本実施形態では、入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されている。前者の持越可能フラグが対応づけられる役としては、ビッグボーナス（ＢＢ）があり、それ以外の役（例えば、小役、リプレイ）は後者の持越不可フラグに対応づけられている。すなわち抽選フラグ設定手段１２５は、内部抽選でＢＢに当選すると、ＢＢの抽選フラグの当選状態を、ＢＢが入賞するまで持ち越す処理を行う。このとき内部抽選は、抽選フラグ設定手段１２５によってＢＢの抽選フラグの当選状態が持ち越されている遊技でも、ＢＢ以外の役（小役およびリプレイ）についての当否を決定する内部抽選を行っている。すなわち抽選フラグ設定手段１２５は、ＢＢの抽選フラグの当選状態が持ち越されている遊技において、内部抽選でＢＢ以外の役が当選した場合には、ＢＢの抽選フラグと内部抽選で当選したＢＢ以外の役の抽選フラグとからなる２種類以上の役に対応する抽選フラグを当選状態に設定する。
【００４１】
リール制御手段１３０は、遊技者がスタートレバー（回転開始操作手段）ＳＬの押下操作（回転開始操作）により作動するスタートスイッチ２３０からのスタート信号に基づいて、第１リールＲ１〜第３リールＲ３をステップモータにより回転駆動して、第１リールＲ１〜第３リールＲ３の回転速度が所定速度（約８０ｒｐｍ：１分間あたり約８０回転となる回転速度）に達した状態において回転中のリールに対応するストップボタンＢ１〜Ｂ３の押下操作（停止操作）を許可する制御を行うとともに、ステップモータにより回転駆動されている第１リールＲ１〜第３リールＲ３を抽選フラグの設定状態（内部抽選の結果）に応じて停止させる制御を行う。
【００４２】
そしてリール制御手段１３０は、ストップボタン（停止操作手段）Ｂ１〜Ｂ３に対する押下操作（停止操作）が有効化された状態（第１リールＲ１〜第３リールＲ３の回転速度が所定速度に達した状態）において遊技者がストップボタンＢ１〜Ｂ３を押下することによりストップスイッチ２４０が作動すると、ストップスイッチ２４０からのリール停止信号に基づいて、リールユニット３１０のステップモータへの駆動パルス（モータ駆動信号）の供給を停止することにより、第１リールＲ１〜第３リールＲ３の各リールを停止させる制御を行う。
【００４３】
すなわちリール制御手段１３０は、ストップボタンＢ１〜Ｂ３の各ボタンが押下される毎に、第１リールＲ１〜第３リールＲ３のうち押下されたボタンに対応するリールの停止位置を決定して、決定された停止位置でリールを停止させる制御を行っている。具体的には、記憶手段１９０の停止制御テーブル記憶手段１９３に記憶されている停止制御テーブルを参照してストップボタンＢ１〜Ｂ３の押下タイミング等（停止操作の態様）に応じた第１リールＲ１〜第３リールＲ３の停止位置を決定し、決定された停止位置で第１リールＲ１〜第３リールＲ３を停止させる制御を行う。なお本実施形態の遊技機では、ストップボタンＢ１を押下することが第１リールＲ１の停止操作に対応し、ストップボタンＢ２を押下することが第２リールＲ２の停止操作に対応し、ストップボタンＢ３を押下することが第３リールＲ３の停止操作に対応する。
【００４４】
ここで停止制御テーブルでは、ストップスイッチ２４０の作動時点（ストップボタンＢ１〜Ｂ３の各ボタンの押下操作が検出された時点）における第１リールＲ１〜第３リールＲ３の位置（押下検出位置）と、第１リールＲ１〜第３リールＲ３の実際の停止位置（または押下検出位置からの滑りコマ数）との対応関係が設定されている。また本実施の形態では、抽選フラグの設定状態毎に第１リールＲ１〜第３リールＲ３の停止位置を定めるための停止制御テーブルが用意されている。そして停止制御テーブルでは、内部抽選の結果に応じて設定される抽選フラグの設定状態が同一であるとともに、ストップボタンＢ１〜Ｂ３に対する押下操作の態様（操作態様：例えば、押下タイミングおよび押下順序）が同一である場合には、第１リールＲ１〜第３リールＲ３について同一の停止位置が指定されている。すなわち、リール制御手段１３０は、ストップボタンＢ１〜Ｂ３に対する押下操作の態様と、内部抽選手段１２０による内部抽選の結果との組合せが同一である場合には、同一の停止態様で第１リールＲ１〜第３リールＲ３を停止させる制御を行っている。
【００４５】
また停止制御テーブルでは、２種類以上の異なる役に対応づけられている抽選フラグが当選状態に設定されている場合に、役毎に定められた優先順位に従って、ストップスイッチ２４０の作動時点における各リールの位置と、実際の各リールの停止位置との対応関係が設定されている。特に本実施形態では、「リプレイ＞ビッグボーナス（ＢＢ）＞小役（ベル、スイカ、チェリー）」の順序で優先順位が定められており、リール制御手段１３０は、２種類以上の役に関する抽選フラグが当選状態に設定されている場合には、各役に対して設定された優先順位に従って、優先順位が低い役を構成する図柄に優先して優先順位の高い役を構成する図柄を入賞判定ライン上に表示させるようにリールを停止させる制御を行う。
【００４６】
またリール制御手段１３０は、いわゆる引き込み処理と蹴飛ばし処理とをリールを停止させる制御として行っている。引き込み処理とは、抽選フラグが当選状態に設定された役に対応する図柄が入賞判定ライン上に停止するように（当選した役を入賞させることができるように）リールを停止させる制御処理である。一方蹴飛ばし処理とは、抽選フラグが非当選状態に設定された役に対応する図柄が入賞判定ライン上に停止しないように（当選していない役を入賞させることができないように）リールを停止させる制御処理である。すなわち本実施形態の遊技機では、上記引き込み処理及び蹴飛ばし処理を実現させるべく、抽選フラグの設定状態、ストップボタンＢ１〜Ｂ３の押下タイミング、押下順序、既に停止しているリールの停止位置（あるいは入賞判定ラインＬ１〜Ｌ５上に停止している図柄の種類）に応じて各リールの停止位置が変化するように停止制御テーブルが設定されている。このようにリール制御手段１３０は、抽選フラグが当選状態に設定された役の図柄を入賞の形態で停止可能にし、一方で抽選フラグが非当選状態に設定された役の図柄が入賞の形態で停止しないように第１リールＲ１〜第３リールＲ３を停止させる制御を行っている。
【００４７】
また本実施形態の遊技機では、リールユニット３１０がフォトセンサからなるリールインデックス３１５を備えており、リール制御手段１３０は、リールが１回転する毎にリールインデックス３１５で検出される基準位置信号に基づいて、リールの基準位置（リールインデックスによって検出されるコマ）からの回転角度（ステップモータの回転軸の回転ステップ数）を求めることによって、現在のリールの回転状態を監視することができるようになっている。
【００４８】
そして本実施形態の遊技機では、第１リールＲ１〜第３リールＲ３が、ストップボタンＢ１〜Ｂ３が押下された時点から１９０ｍｓ以内に、押下されたストップボタンに対応する回転中のリールを停止させる制御状態に設定されている。すなわち回転している各リールの停止位置を決めるための停止制御テーブルでは、ストップボタンＢ１〜Ｂ３の押下時点から各リールＲ１〜Ｒ３が停止するまでに要するコマ数が０コマ〜４コマの範囲（所定の引き込み範囲）で設定されている。そして、リール制御手段１３０は、ストップボタンＢ１〜Ｂ３のうち押下操作が行われたストップボタンに対応する回転中のリールの外周面上において、内部抽選で当選した役に対応する図柄が、ストップボタンに対する押下操作が行われた時点で入賞判定ライン上の表示位置（上段、中段、下段）に対して０コマ〜４コマの範囲内に位置する場合に、当選した役に対応する図柄が入賞判定ライン上の表示位置に表示されるように、押下操作が行われたストップボタンに対応する回転中のリールを停止させる制御を行っている。
【００４９】
そして本実施形態の遊技機では、図４に示す第１リールＲ１〜第３リールＲ３の図柄配列によれば、各リールの外周面に複数配列されているリプレイ図柄「ＲＰ」や、ベル図柄「ＢＬ」に関して、その間隔が４コマ以内となるように図柄が配列されており、ストップボタンＢ１〜Ｂ３の押下タイミング、押下順序等に関係なくリプレイ図柄「ＲＰ」や、ベル図柄「ＢＬ」を任意の入賞判定ライン上に引き込むことができるようになっている。
【００５０】
入賞判定手段１４０は、第１リールＲ１〜第３リールＲ３の停止態様に基づいて、役が入賞したか否かを判定する処理を行う。具体的には、第１リールＲ１〜第３リールＲ３の全てが停止した際に、記憶手段１９０の入賞判定テーブル記憶手段１９４に記憶されている入賞判定テーブルを参照しながら、各リールの停止状態によって入賞判定ラインＬ１〜Ｌ５の各入賞判定ライン上に表示されている図柄組合せが、予め定められた役の入賞の形態であるか否かを判定する。
【００５１】
本実施形態では、図４に示すように、リールユニット３１０を構成する第１リールＲ１〜第３リールＲ３の外周面に対して、ＢＢ図柄「赤７」、ベル図柄「ＢＬ」、スイカ図柄「ＷＭ」、チェリー図柄「ＣＨ」、リプレイ図柄「ＲＰ」が配列されている。そして、各リールが停止した状態における入賞判定ライン上に表示された図柄組合せによって、図５に示すように、ビッグボーナス（ＢＢ）リプレイ、ベル、スイカ、およびチェリーの入賞の有無が判定できるように入賞判定テーブルが用意されている。なお図５に示すチェリーの入賞形態を示す図柄組合せにおける「ＡＮＹ」とは、リールの外周面に配列されたいずれの図柄でもよいこと示す。
【００５２】
すなわち本実施形態では、入賞判定ライン上に「赤７・赤７・赤７」の図柄組合せが表示された場合、ＢＢが入賞したと判定され、入賞判定ライン上に「ＲＰ・ＲＰ・ＲＰ」の図柄組合せが表示された場合、リプレイが入賞したと判定され、入賞判定ライン上に「ＢＬ・ＢＬ・ＢＬ」の図柄組合せが表示された場合、ベルが入賞したと判定され、入賞判定ライン上に「ＷＭ・ＷＭ・ＷＭ」の図柄組合せが表示された場合、スイカが入賞したと判定され、入賞判定ライン上に「ＣＨ・ＡＮＹ・ＡＮＹ」（ＡＮＹは図柄の種類を問わない）の図柄組合せが表示された場合、チェリーが入賞したと判定される。
【００５３】
そして本実施形態の遊技機では、入賞判定手段１４０の判定結果に基づいて、入賞時処理が実行される。入賞時処理としては、例えば、小役（ベル、スイカ、チェリー）が入賞した場合には払出制御手段１５０によってメダルの払出制御処理が行われ、リプレイが入賞した場合にはリプレイ処理手段１６０によってリプレイ処理が行われ、ビッグボーナス（ＢＢ）が入賞した場合には遊技状態移行制御手段１７０によって遊技状態を移行させる遊技状態移行制御処理が行われる。
【００５４】
払出制御手段１５０は、遊技結果に応じたメダルの払い出しに関する払出制御処理を行う。具体的には、小役が入賞した場合に、後述する配当設定手段１５５によって設定される役毎の配当に基づいて遊技におけるメダルの払出数を決定し、決定された払出数に相当するメダルを、ホッパーユニット３２０（払出装置）に払い出させる制御を行う。なお複数の小役が１回の遊技で入賞した場合には、入賞した各小役の配当の合計を、遊技におけるメダルの払出数として決定することができる。
【００５５】
ホッパーユニット３２０は、払出制御手段１５０によって指示された払出数のメダルを払い出す動作を行う。ホッパーユニット３２０には、メダルを１枚払い出す毎に作動する払出メダル検出スイッチ３２５が備えられており、払出制御手段１５０は、払出メダル検出スイッチ３２５からの入力信号に基づいてホッパーユニット３２０から実際に払い出されたメダルの数を管理することができるように構成されている。
【００５６】
なおメダルのクレジット（内部貯留）が許可されている場合には、ホッパーユニット３２０によって実際にメダルの払い出しを行う代わりに、記憶手段１９０のクレジット記憶領域（図示省略）に記憶されているクレジット数（クレジットされたメダルの数）に対して払出数を加算するクレジット加算処理を行って仮想的にメダルを払い出す処理を行う。また遊技の結果、リプレイあるいはビッグボーナス（ＢＢ）が入賞した場合には、リプレイおよびビッグボーナスに対して配当が設定されていないため、ホッパーユニット３２０からのメダルの払い出しは行われないが、形式的に０枚のメダルを払い出したとする処理（０枚処理）が行われる。
【００５７】
配当設定手段１５５は、配当テーブル記憶手段１９６に記憶されている配当テーブルを参照して、小役の配当を役毎に設定する処理を行う。本実施形態の遊技機では、図６（Ａ）に示すように、複数種類の配当テーブルが用意され、各配当テーブルには、配当テーブル参照番号が対応づけられている。
【００５８】
そして配当設定手段１５５は、通常状態およびＢＢ成立状態での遊技については、配当テーブル参照番号記憶手段１９７に記憶される配当テーブル参照番号を「０」に設定して、内部抽選の対象となっている各小役の配当を役毎に固定的に設定する。具体的には、通常状態およびＢＢ成立状態では、ベルの配当は１０枚、スイカの配当は６枚、チェリーの配当は２枚に設定される。
【００５９】
一方、配当設定手段１５５は、ＢＢ状態での遊技については、通常状態のＢＢに当選した遊技における抽選フラグの設定状態に応じて、配当テーブル参照番号記憶手段１９７に記憶される配当テーブル参照番号を「０」，「２」，「４」，「８」，「１６」のいずれかに設定して、ＢＢ状態における内部抽選の対象となっている小役の配当を設定する。すなわち本実施形態の遊技機では、配当設定手段１５５が、ＢＢが当選した遊技において、ＢＢが単独で当選したか、あるいはＢＢが小役やリプレイと重複して当選したかを抽選フラグの設定状態によって判別し、ＢＢが単独で当選した場合（重複当選役：なし）、ＢＢがリプレイと重複して当選した場合、ＢＢがベルと重複して当選した場合、ＢＢがスイカと重複して当選した場合、およびＢＢがチェリーと重複して当選した場合のそれぞれの場合に応じた小役の配当を設定する。例えば、図６（Ｂ）に示すように、ＢＢ状態では、ベルの配当がＢＢ当選時の抽選フラグの設定状態に応じて６枚〜１５枚の間で変動し、スイカの配当がＢＢ当選時の抽選フラグの設定状態に応じて３枚〜１２枚の間で変動し、チェリーの配当がＢＢ当選時の抽選フラグの設定状態に応じて１枚〜５枚の間で変動するように各小役の配当が設定される。
【００６０】
なお本実施形態の遊技機では、配当設定手段１５５が、抽選フラグ記憶手段１９２の抽選フラグの設定状態に基づいてＢＢ状態における小役の配当を決定するための配当テーブル参照番号をＢＢ当選時に設定し、その設定情報を記憶手段１９０に確保される一時記憶領域に保存するようになっている。そして配当設定手段１５５は、一時記憶領域に保存されている配当テーブル参照番号をＢＢ入賞時に配当テーブル参照番号記憶手段１９７に記憶させることによって、ＢＢ状態での遊技において参照される配当テーブルを設定する。ただし、抽選フラグ設定手段１２５によってＢＢの当選時の抽選フラグの設定状態を記憶手段１９０に確保される一時記憶領域に保存する処理を行うようにして、配当設定手段１５５が、一時記憶領域に保存されているＢＢの当選時の抽選フラグの設定状態に基づいて、ＢＢ入賞時にＢＢ状態における小役の配当を決定するための配当テーブル参照番号を配当テーブル参照番号記憶手段１９７に記憶させるようにしてもよい。
【００６１】
リプレイ処理手段１６０は、リプレイが入賞した場合に、次回の遊技に関して遊技者の所有するメダルの投入を要さずに前回の遊技と同じ準備状態に設定するリプレイ処理（再遊技処理）を行う。すなわち本実施形態の遊技機では、リプレイが入賞した場合には、前回の遊技と同じ枚数分のメダルを遊技者の手持ちのメダル（クレジットメダルを含む）を使わずに自動的に投入する自動投入処理が行われ、前回の遊技と同じ入賞判定ラインを有効化した状態で次回の遊技の開始操作（遊技者によるスタートレバーＳＬの押下操作）を待機する。
【００６２】
遊技状態移行制御手段１７０は、所定の移行条件の成立に基づいて、通常状態、ビッグボーナス成立状態（ＢＢ成立状態）、およびビッグボーナス状態（ＢＢ状態）の間で遊技状態を移行させる遊技状態移行制御処理を行う。遊技状態の移行条件は、１の条件が定められていてもよいし、複数の条件が定められていてもよい。複数の条件が定められている場合には、複数の予め定められた条件のうち１の条件が成立したこと、あるいは複数の予め定められた条件の全てが成立したことに基づいて、遊技状態を別の遊技状態へ移行させることができる。
【００６３】
通常状態は、複数種類の遊技状態の中で初期状態に相当する遊技状態で、通常状態からはＢＢ成立状態への移行が可能となっている。通常状態では、ＢＢが内部抽選の対象として設定された抽選テーブルＡを参照した内部抽選が行われる。ここで抽選テーブルＡでは、ＢＢが単独で当選する乱数値と、ＢＢとベルとが重複して当選する乱数値と、ＢＢとスイカとが重複して当選する乱数値と、ＢＢとチェリーとが重複して当選する乱数値と、ＢＢとリプレイとが重複して当選する乱数値とが設定されている。すなわち本実施形態の遊技機では、通常状態においてＢＢとＢＢ以外の役とが１回の遊技で重複して当選することができるように内部抽選が行われている。
【００６４】
ＢＢ成立状態は、内部抽選でＢＢに当選したことを契機として移行する遊技状態である。ＢＢ成立状態では、ＢＢが内部抽選の対象から除外された抽選テーブルＢを参照した内部抽選が行われる。すなわち本実施形態の遊技機では、内部抽選でＢＢに当選すると、ＢＢが入賞するまでＢＢに対応する抽選フラグが当選状態に維持しつつ、ＢＢ以外の役（リプレイ、小役）についての当否を決定する内部抽選が行われる。
【００６５】
ＢＢ状態（特別状態）は、ＢＢ成立状態においてＢＢの入賞形態を示す図柄組合せ「赤７・赤７・赤７」が入賞判定ラインＬ１〜Ｌ５のいずれかに表示されたことを契機として移行する遊技状態である。ＢＢ状態では、リプレイが内部抽選の対象から除外され、ベルの当選確率が通常状態よりも高く設定された抽選テーブルＣを参照した内部抽選が行われる。すなわちＢＢ状態は、通常状態よりも短期間で多くのメダルが獲得しやすくなっており、遊技者にとって有利な遊技状態となっている。またＢＢ状態では、ボーナス遊技によって払い出されたメダルの合計数が所定数（例えば、４６５枚）を超えたことを契機としてＢＢ状態を終了させて、遊技状態を通常状態へ復帰させる制御が行われる。
【００６６】
演出制御手段１８０は、演出テーブル記憶手段１９５に記憶されている演出テーブルを参照して選択される演出データに基づいて、表示装置３３０（演出装置の一例）を用いて行う表示演出や音響装置３４０（演出装置の一例）を用いて行う音響演出に関する制御を行う。例えば、メダルの投入やベットボタンＢ０、スタートレバーＳＬ、ストップボタンＢ１〜Ｂ３に対する操作、遊技状態の変動などの遊技イベントの発生に応じてランプやＬＥＤを点灯あるいは点滅させたり、液晶ディスプレイＬＣＤの表示内容を変化させたり、スピーカから音を出力させたりすることにより、遊技を盛り上げたり、遊技を補助するための演出の実行制御を行う。
【００６７】
なお本実施形態の機能ブロック構成は、コンピュータシステム（ゲームシステムを含む）に関しても適用することができる。これらのシステムでは、本実施形態の遊技制御手段１００としてコンピュータを機能させるプログラムを、ＣＤ、ＤＶＤ等の情報記憶媒体あるいはインターネット上のＷｅｂサーバからネットワークを介してダウンロードすることによって、その機能を実現することができる。また上記コンピュータシステムでは、メダル投入スイッチ２１０、ベットスイッチ２２０、スタートスイッチ２３０、ストップスイッチ２４０等は、キーボードやポインティングデバイス（マウス等）、あるいはコントローラなどの操作手段に対してそれらの機能を仮想的に割り当てることにより実現することができる。また上記コンピュータシステムでは、リールユニット３１０やホッパーユニット３２０などは必須の構成要件ではなく、これらの装置ユニットは、ディスプレイ（表示装置３３０）に表示出力される画像の制御によってそれらの機能を仮想的に実現することができる。
【００６８】
２．本実施形態の制御手法
続いて、本実施形態の遊技機で採用されている制御手法について具体的に説明する。
【００６９】
本実施の形態では、ＢＢ当選時における抽選フラグの設定状態に応じて、ＢＢ状態における小役の配当を設定する手法を採用している。以下では、図７に示すフローチャートを参照しながら、具体的に説明する。
【００７０】
まず本実施形態の遊技機は、初期状態の遊技状態として通常状態に設定され（ステップＳ１００）、通常状態では配当テーブル参照番号が「０」に設定されている。すなわち通常状態では、図６（Ａ）に示すように、ベルの配当は１０枚、スイカの配当は６枚、チェリーの配当は２枚に設定される。
【００７１】
そして通常状態での遊技においてＢＢに当選すると（ステップＳ１０２でＹ）、ＢＢ当選時の抽選フラグの設定状態に応じてＢＢ状態における小役の配当を定めるための配当テーブル参照番号を、「０」、「２」、「４」、「８」、あるいは「１６」のいずれかに設定し（ステップＳ１０４）、その設定情報をメモリ（記憶手段１９０）の一時記憶領域に保存してから、遊技状態をＢＢ成立状態へ移行させる（ステップＳ１０６）。例えば、ＢＢとリプレイとが重複して当選した場合には、配当テーブル参照番号が「２」に設定される。なお本実施形態の遊技機では、ＢＢ成立状態でも通常状態と同様に、配当テーブル参照番号が「０」に設定され、ベル、スイカ、およびチェリーの各小役の配当は通常状態と同じ配当に設定される。
【００７２】
そしてＢＢ成立状態においてＢＢが入賞すると（ステップＳ１０８でＹ）、遊技状態をＢＢ状態へ移行させる（ステップＳ１１０）。本実施形態では、ＢＢ入賞時に、ステップＳ１０４で設定された設定情報をメモリの一時記憶領域から読み出して配当テーブル参照番号記憶手段１９７に記憶されている配当テーブル参照番号の書き換えを行い、書き換えられた配当テーブル参照番号に基づいて小役の配当が設定される。例えば、ステップＳ１０４において配当テーブル参照番号が「２」に設定されていた場合には、ＢＢ状態における小役の配当として、ベルの配当は６枚、スイカの配当は３枚、チェリーの配当は１枚に設定される。そしてＢＢ状態では、ＢＢ状態の終了条件となる所定数（例えば、４６５枚）を超えるメダルが払い出されるまで小役の当選確率を高めたボーナス遊技が継続する。やがてＢＢ状態で払い出されたメダルの合計数が所定数を超えると、ＢＢ状態の終了条件が成立したと判断して遊技状態を通常状態へ復帰させる（ステップＳ１１２でＹ、ステップＳ１００へ）。なおＢＢ状態の終了条件の成立に伴い、配当テーブル参照番号記憶手段１９７に記憶されている配当テーブル参照番号は「０」にリセットされる。
【００７３】
次に、通常状態、ＢＢ成立状態、およびＢＢ状態の各遊技状態における遊技で小役が入賞した際に行われるメダルの払出制御処理について図８に示すフローチャートを参照しながら説明する。
【００７４】
まず第１リールＲ１〜第３リールＲ３の停止態様に基づき小役が入賞すると（ステップＳ２００でＹ）、配当テーブル参照番号記憶手段１９７に記憶されている配当テーブル参照番号に従って、配当テーブル記憶手段１９６に記憶されている配当テーブルを参照して、入賞した小役の配当に対応するメダルの払出数Ｎを決定する（ステップＳ２０１）。そして決定された払出数Ｎに相当するメダルをホッパーユニット３２０に払い出させる（ステップＳ２０２）。
【００７５】
以上に述べた本実施形態の制御手法によれば、小役の配当を変動させることによって、遊技者のメダルの獲得状況に起伏を与えるという斬新な遊技仕様を実現することができ、遊技者の関心を惹きつけることができる。特に本実施の形態では、ＢＢの当選状況に応じて通常状態よりも小役が入賞しやすいＢＢ状態における小役の配当を変動させさせている。これによって、ＢＢ状態が開始されてからＢＢ状態が終了するまでの遊技回数が変動し、結果としてＢＢ状態が開始されてからＢＢ状態が終了するまでに遊技者が投入したメダルの合計数が変動する。すなわち本実施形態の制御手法を採用することによって、ＢＢ状態の遊技で払い出されたメダルの合計数から遊技者が投入したメダルの合計数を差し引いた遊技者のメダルの獲得数を増減させることができ、通常状態での内部抽選の対象となるＢＢの種類を増やすことなく、遊技者がメダルを獲得しやすいＢＢ状態と、遊技者がメダルを獲得しにくいＢＢ状態とを実現することができる。
【００７６】
３．変形例
本発明は、上記の実施形態で説明したものに限らず、種々の変形実施が可能であり、以下に変形例を紹介する。なお、上記実施形態や、以下において変形例として説明する各種の手法は、本発明を実現する制御手法として適宜組み合わせて採用することができる。
【００７７】
３−１．変形例１
上記実施形態では、ＢＢ当選時の抽選フラグの設定状態に応じてＢＢ状態における小役の配当を設定する場合を例に取り説明をしたが、ＢＢ入賞時の抽選フラグの設定状態に応じてＢＢ状態における小役の配当を設定するようにしてもよい。
【００７８】
本変形例では、配当テーブルと配当テーブル参照番号との関係が図９（Ａ）に示すように設定され、ＢＢ入賞時の内部抽選での当選役と配当テーブル参照番号との関係が、図９（Ｂ）に示すように設定される。すなわち本変形例では、配当設定手段１５５が、ＢＢが入賞した遊技において、ＢＢが単独で当選したか、あるいはＢＢが小役と重複して当選したかを抽選フラグの設定状態によって判別し、ＢＢが単独で当選した場合（重複当選役：なし）、ＢＢがベルと重複して当選した場合、ＢＢがスイカと重複して当選した場合、およびＢＢがチェリーと重複して当選した場合のそれぞれの場合に応じた小役の配当を設定する。なおＢＢとリプレイとがともに当選状態である場合には、常にリプレイの入賞が優先されるため、図９（Ｂ）に示す例では、リプレイが当選した場合の配当テーブル参照番号は設定されていない。
【００７９】
続いて、図１０に示すフローチャートを参照しながら、本変形例の制御手法について具体的に説明する。なお図１０に示すフローチャートでは、図７に示すフローチャートと実質的に同様の処理については同一の符号を付し、以下では詳細な説明を省略する。
【００８０】
本変形例では、図１０に示すように、ＢＢが入賞すると（ステップＳ１０８でＹ）、ＢＢ入賞時の抽選フラグの設定状態に応じてＢＢ状態における小役の配当を設定するための配当テーブル参照番号を、「０」、「２」、「４」、あるいは「８」のいずれかに設定して配当テーブル参照番号記憶手段１９７の記憶内容を書き換えてから（ステップＳ１０９）、遊技状態をＢＢ状態へ移行させる（ステップＳ１１０）。例えば、ＢＢが入賞した遊技においてベルが当選していた場合には、配当テーブル参照番号が「２」に設定され、ＢＢ状態における小役の配当として、ベルの配当は９枚、スイカの配当は５枚、チェリーの配当は１枚に設定される。ＢＢ状態では、ステップＳ１０９で設定された配当テーブル参照番号に従ってメダルの払出数Ｎを決定する払出制御が行われ、ＢＢ状態の終了条件となる所定数（例えば、４６５枚）を超えるメダルが払い出されるまで小役の当選確率を高めたボーナス遊技が継続する。やがてＢＢ状態で払い出されたメダルの合計数が所定数を超えると、ＢＢ状態の終了条件が成立したと判断して遊技状態を通常状態へ復帰させる（ステップＳ１１２でＹ、ステップＳ１００へ）。なおＢＢ状態の終了条件の成立に伴い、配当テーブル参照番号記憶手段１９７に記憶されている配当テーブル参照番号は「０」にリセットされる。
【００８１】
以上に述べた本変形例の制御手法では、ＢＢ入賞時の状況に応じて通常状態よりも小役が入賞しやすいＢＢ状態で小役の配当を変動させている。これによって、上記実施形態の場合と同様に、ＢＢ状態が開始されてからＢＢ状態が終了するまでの遊技回数が変動し、結果としてＢＢ状態が開始されてからＢＢ状態が終了するまでに遊技者が投入したメダルの合計数が変動する。すなわち本変形例の制御手法を採用することによっても、ＢＢ状態の遊技で払い出されたメダルの合計数から遊技者が投入したメダルの合計数を差し引いた遊技者のメダルの獲得数を増減させることができ、通常状態での内部抽選の対象となるＢＢの種類を増やすことなく、遊技者がメダルを獲得しやすいＢＢ状態と、遊技者がメダルを獲得しにくいＢＢ状態とを実現することができる。
【００８２】
なお本変形例では、演出制御手段１８０によってＢＢ成立状態において当選した小役の種類を遊技者に報知する報知演出を所定条件下で表示装置３３０や音響装置３４０に行わせる制御を行うようにしてもよい。報知演出としては、ＢＢ成立状態で当選した小役の種類を示唆する演出画像を液晶ディスプレイＬＣＤに表示させたり、ＢＢ成立状態で当選した小役の種類に対応するランプやＬＥＤを点灯させたり、ＢＢ成立状態で当選した小役の種類を示唆する音声をスピーカから出力させたりすることができる。このように報知演出を実行するようにすれば、小役の配当が遊技者に有利になる小役の当選時を狙ってＢＢを入賞させることができるようになるため、遊技者の関心を強く惹きつけることができるようになる。なお報知演出の実行確率は一定確率でなくてもよく、ＢＢが入賞するまでの遊技履歴（特定の役の当選回数や直前のＢＢ状態終了後からの遊技回数など）に応じて変動させるようにしてもよい。
【００８３】
また上記実施形態のようにＢＢ当選時の抽選フラグの設定状態に応じて小役の配当を設定する場合には、演出制御手段１８０に、ＢＢが当選した遊技において、ＢＢと重複して当選したＢＢ以外の役（小役やリプレイ）の種類を遊技者に報知する報知演出を所定条件下で表示装置３３０や音響装置３４０に行わせるようにしてもよい。この場合における報知演出としては、ＢＢと重複して当選したＢＢ以外の役の種類を示唆する演出画像を液晶ディスプレイＬＣＤに表示させたり、ＢＢと重複して当選したＢＢ以外の役の種類に対応するランプやＬＥＤを点灯させたり、ＢＢと重複して当選したＢＢ以外の役の種類を示唆する音声をスピーカから出力させたりすることができる。このように報知演出を実行するようにすれば、遊技者がＢＢの当選時にＢＢ状態における小役の配当に関する設定内容を即座に把握することができるようになる。
【００８４】
３−２．変形例２
上記実施形態の手法と変形例１の手法とを組み合わせて、ＢＢ当選時の抽選フラグの設定状態に応じて設定した小役の配当を、所定条件下で、ＢＢ入賞時の抽選フラグの設定状態に基づいて変更するようにしてもよい。例えば、図６に示す払出上限数テーブルに基づいてＢＢ当選時に設定された配当テーブル参照番号と、図９に示す払出上限数テーブルに基づいてＢＢ入賞時に設定される配当テーブル参照番号とを比較して、比較結果が所定条件を満たす場合には配当テーブル参照番号の変更を許可し、比較結果が所定条件を満たさない場合には配当テーブル参照番号の変更を不許可とするようにしてもよい。このときＢＢ入賞時の抽選フラグの設定状態に基づく小役の配当が、ＢＢ当選時の抽選フラグの設定状態に基づく小役の配当より高くなる場合に、配当テーブル参照番号の変更を許可するようにしてもよいし、ＢＢ入賞時の抽選フラグの設定状態に基づく小役の配当が、ＢＢ当選時の抽選フラグの設定状態に基づく小役の配当より低くなる場合に、配当テーブル参照番号の変更を許可するようにしてもよい。
【００８５】
３−３．変形例３
上記変形例１では、ＢＢ成立状態におけるリプレイ当選が小役の配当の設定内容に影響を与えない手法を説明したが、ＢＢ成立状態におけるリプレイの当選回数に応じてＢＢ入賞時に設定される小役の配当が変動するようにしてもよい。この場合、記憶手段１９０にリプレイの当選回数を記憶する遊技履歴記憶手段を設けるととともに、遊技制御手段１００がＢＢ成立状態においてリプレイが当選する毎に、遊技履歴記憶手段に記憶されるリプレイの当選回数を更新する遊技履歴更新手段を備えるようにしてもよい。
【００８６】
このとき配当設定手段１５５は、ＢＢの入賞時の抽選フラグの設定状態に基づいて設定される各小役の配当にリプレイの当選回数に応じた値を加算したり、ＢＢの入賞時の抽選フラグの設定状態に基づいて設定される各小役の配当からリプレイの当選回数に応じた値を減算したりすることができる。
【００８７】
例えば、ＢＢ成立状態においてリプレイが当選する毎に各小役の配当が１枚分ずつ加算されるようにした場合、複数種類の小役のうち最も高い配当が１５枚を超えない範囲でＢＢ入賞時に設定される各小役の配当にリプレイの当選回数に応じた枚数を加算することができる。このようにすれば、ＢＢの入賞をできるだけ回避して、小役の配当を増やすことができるようになるが、その一方でＢＢの入賞までにメダルを消費するというリスクを負う可能性もある。すなわち前述の手法によれば、小役の配当が少なくなってもＢＢを早期に入賞させた方がよいか、ＢＢを入賞させずにメダルを消費するリスクを負いつつ確実に小役の配当を増やすかを遊技者の意思に基づき選択できる遊技仕様を実現することができる。
【００８８】
また例えば、ＢＢ成立状態においてリプレイが当選する毎に各小役の配当が１ずつ減算されるようにした場合、複数種類の小役のうち最も低い配当が１枚を下回らない範囲でＢＢ入賞時に設定される各小役の配当からリプレイの当選回数に応じた数を減算することができる。このようにすれば、ＢＢを早期に入賞させなければ小役の配当が減少してしまうため、遊技者にリールの停止態様などによってＢＢの当選を早期に察知しようとする目的意識を与えることができ、遊技の単調化を防ぐことができるようになる。
【００８９】
３−４．変形例４
上記実施形態では、ＢＢ状態における小役の配当を所定条件下で変動させる手法を説明したが、通常状態やＢＢ成立状態における小役の配当を所定条件下で変動させるようにしてもよい。
【００９０】
例えば、ＢＢの当選時における抽選フラグの設定状態に応じて小役の配当を設定する場合、ＢＢ成立状態への移行時に配当テーブル参照番号を設定して、その後のＢＢ状態の終了後に復帰する通常状態においても次回のＢＢ当選時まで配当テーブル参照番号を維持するようにしてもよい。
【００９１】
また例えば、ＢＢの入賞時における抽選フラグの設定状態に応じて小役の配当を設定する場合、ＢＢ入賞時に設定した配当テーブル参照番号を、その後の通常状態やＢＢ成立状態においても次回のＢＢの入賞時まで維持するようにしてもよい。
【００９２】
また例えば、前回のＢＢ状態の終了時からＢＢ当選までの遊技回数を遊技履歴として記憶する遊技履歴記憶手段を記憶手段１９０に設けるとともに、遊技制御手段１００が遊技が行われる毎に遊技履歴記憶手段に記憶される遊技回数を更新する遊技履歴更新手段を含むように構成して、配当設定手段１５５が、前回のＢＢ状態の終了時からＢＢ当選までの遊技回数に応じて通常状態やＢＢ成立状態における小役の配当を変動させるようにしてもよい。このとき前回のＢＢ状態の終了時からＢＢ当選までの遊技回数が多くなるほど小役の配当が多くなるように配当テーブル参照番号を設定することができる。このようにすれば、メダルの獲得状況が悪い遊技者の遊技意欲の減退を防ぐことによって、遊技機の稼働率低下を防ぐことができるようになる。
【００９３】
３−５．変形例５
上記実施形態や変形例１などでは、ＢＢ当選時あるいはＢＢ入賞時における抽選フラグの設定状態に応じてＢＢ状態における小役の配当を変動させる手法を説明したが、ＢＢの当選回数やＢＢの入賞回数などに応じてＢＢ状態における小役の配当を変動させるようにしてもよい。このようにすれば、遊技者の遊技履歴に応じてメダルの獲得状況を調整することができる遊技仕様を実現して、遊技者の関心を強く惹きつけることができる。
【００９４】
本変形例では、記憶手段１９０にＢＢの当選回数やＢＢの入賞回数などを遊技履歴として記憶する遊技履歴記憶手段を設けるとともに、遊技制御手段１００がＢＢの当選あるいはＢＢの入賞を契機として遊技履歴を更新する遊技履歴更新手段を含むように構成することによって、配当設定手段１５５が、遊技履歴記憶手段に記憶されるＢＢの当選回数やＢＢの入賞回数が多いほど、ＢＢ状態における小役の配当が多くなるように、配当テーブル参照番号を設定することができる。このようにすれば、遊技を長期間行うほど、遊技者に有利な状況になっていくため、遊技者の遊技意欲が減退することを防いで、遊技機の稼働率低下を防ぐことができる。
【００９５】
３−６．変形例６
上記実施形態や変形例１などでは、ＢＢ当選時あるいはＢＢ入賞時における抽選フラグの設定状態に応じて小役の配当を変動させる手法を説明したが、遊技機から払い出されたメダルの合計数と遊技機に投入されたメダルの合計数との差分（いわゆる差枚数）に応じて小役の配当を変動させるようにしてもよい。このようにしても、変形例５と同様に、遊技者の遊技履歴に応じてメダルの獲得状況を調整することができる遊技仕様を実現して、遊技者の関心を強く惹きつけることができる。
【００９６】
本変形例では、記憶手段１９０にメダルの差枚数を遊技履歴として累積記憶する遊技履歴更新手段を設けるととともに、遊技制御手段１００がメダルの投入およびメダルの払出しを契機として遊技履歴を更新する遊技履歴更新手段を含むように構成することができる。
【００９７】
そして本変形例では、配当設定手段１５５が、遊技履歴記憶手段に記憶されるメダルの差枚数が多いほど、小役の配当が少なくなるように、小役の配当を設定することができる。このようにすれば、遊技者のメダルの獲得数が必要以上に増えすぎて徒に遊技者の射幸心を煽る事態を防ぐことができる。
【００９８】
また本変形例では、配当設定手段１５５が、遊技履歴記憶手段に記憶されるメダルの差枚数が少ないほど、小役の配当が多くなるように、小役の配当を設定することができる。このようにすれば、メダルの獲得状況が良好でない遊技者を救済する遊技仕様を実現することができる。
【００９９】
３−７．変形例７
また上記実施形態や各変形例などで説明した手法は、ＢＢ状態での遊技における小役の配当を変動させる場合に限らず、リプレイの当選確率を通常状態よりも上昇させたリプレイタイム状態での遊技における小役の配当を変動させる場合や、役の入賞を補助する演出あるいは役の入賞回避を補助する演出を行う演出状態（いわゆるアシストタイム状態）に設定された遊技における小役の配当を変動させる場合などにも等しく適用することができる。
【０１００】
３−８．変形例８
上記実施形態や各変形例では、内部抽選の対象となっている複数種類の小役のうち、全ての小役の配当が、ＢＢ当選時の抽選フラグの設定状態やＢＢ入賞時の抽選フラグの設定状態に応じて変動可能になっている場合を例に取り説明をしたが、内部抽選の対象となっている複数種類の小役のうち、一部の小役の配当のみを、ＢＢ当選時の抽選フラグの設定状態やＢＢ入賞時の抽選フラグの設定状態に応じて変動させるようにしてもよい。
【図面の簡単な説明】
【０１０１】
【図１】本実施形態の遊技機の外観構成を示す斜視図である。
【図２】本実施形態の遊技機の機能ブロックを説明する図である。
【図３】本実施形態の遊技機における抽選テーブルの構成を説明する図である。
【図４】本実施形態の遊技機におけるリールの図柄配列を説明する図である。
【図５】本実施形態の遊技機における入賞役と図柄組合せとの関係を説明する図である。
【図６】本実施形態の遊技機における配当テーブルの構成を説明する図である。
【図７】本実施形態の遊技機における制御処理を示すフローチャートである。
【図８】本実施形態の遊技機における制御処理を示すフローチャートである。
【図９】本実施形態の遊技機の変形例における配当テーブルの構成を説明する図である。
【図１０】本実施形態の遊技機の変形例における制御処理を示すフローチャートである。
【符号の説明】
【０１０２】
ＢＸ  収納箱、ＵＤ  前面上扉、ＤＤ  前面下扉、ＤＷ  表示窓、
Ｌ１〜Ｌ５  有効ライン、ＤＳ  遊技情報表示部、ＬＣＤ  液晶ディスプレイ、
Ｒ１  第１リール、Ｒ２  第２リール、Ｒ３  第３リール、
Ｂ０  ベットボタン、ＳＬ  スタートレバー、Ｂ１〜Ｂ３  ストップボタン、
ＭＩ  メダル投入口、ＭＯ  メダル払い出し口、ＭＰ  メダル受け皿、
１００  遊技制御手段、１０５  投入受付手段、１１０  乱数発生手段、
１２０  内部抽選手段、１２５  抽選フラグ設定手段、１３０  リール制御手段、
１４０  入賞判定手段、１５０  払出制御手段、１５５  配当設定手段、
１６０  リプレイ処理手段、１７０  遊技状態移行制御手段、１８０  演出制御手段、
１９０  記憶手段、１９１  抽選テーブル記憶手段、１９２  抽選フラグ記憶手段、
１９３  停止制御テーブル記憶手段、１９４  入賞判定テーブル記憶手段、
１９５  演出テーブル記憶手段、１９６  配当テーブル記憶手段、
１９７  配当テーブル参照番号記憶手段、
２１０  メダル投入スイッチ、２２０  ベットスイッチ、２３０  スタートスイッチ、
２４０  ストップスイッチ、３１０  リールユニット、３１５  リールインデックス、
３２０  ホッパーユニット、３２５  払出メダル検出スイッチ、
３３０  表示装置、３４０  音響装置
【図１】
2009225909.tif 000003
【図２】
2009225909.tif 000004
【図３】
2009225909.tif 000005
【図６】
2009225909.tif 000006
【図７】
2009225909.tif 000007
【図８】
2009225909.tif 000008
【図９】
2009225909.tif 000009
【図１０】
2009225909.tif 000010
【図４】
2009225909.tif 000011
【図５】
2009225909.tif 000012